(57)【要約】【課題】 ノート型コンピュータの支持基台を提供する。【解決手段】ブラケット１、上背面フレーム台２、底フレーム３、受け止めフレーム４、前サポート片５、下背面フレーム台６、サポート片７により構成する。  ブラケット下方で底フレームを、上方で上背面フレーム台を介してサポート片を回動可能に設けて、底フレーム中間に設けた位置決め溝３１２にサポート片先端の挿入片を挿入係止してブラケットをその底辺と底フレームとにより立てた状態とする。ブラケット全面側には受け止めフレームを前サポート片と下背面フレーム台とにより支持位置に支持せしめると共にブラケット側に回動してブラケットに形成した開口に陥入して収容可能とする。使用時には図示の状態でノート型ＰＣを受け止めフレーム上に載置し、ブラケットによって背面を支持する。【選択図】図２
0003141153.tif 000002
【実用新案登録請求の範囲】
【請求項１】
ブラケット、上背面フレーム台、底フレーム、受け止めフレーム、前サポート片、下背面フレーム台により構成し、
上記ブラケットは、その背面両側に側壁を設けて、その両側壁の下方はそれぞれ該底フレームの両側をピボットにより回動可能に接続し、ブラケット下方に受け止めフレームを嵌合する開口を設けると共にその両側下方に位置決め孔を設け、
該ブラケット背面上下縁を折り曲げて上下折り壁を形成して上記両側壁との間にそれぞれ上・下背面フレーム台を嵌合配置し、
さらに、該ブラケットの上記開口上縁に後方に折り曲げて湾折片を形成する共にその先端に上記受け止めフレームをブロックするガード片を形成し、
上記ブラケット背面上部に固定された背面フレーム台下方にブラケットを支持するサポート片を回動可能に設けると共に、該サポート片下端に上記底フレームの位置決め溝に挿入固定する挿入片を設け、
上記底フレームは、底板と該底板両側に折り曲げて形成された側壁を具え、該両側壁、前側を該ブラケット両側壁に回動可能に接続して該底フレームをブラケットに対して回動して折り畳み可能とし、底フレームの底板に上記サポート片の挿入片を挿入固定する位置決め溝を間隔を設けて複数設けると共に底フレームの他端に折り畳み時のブラケット上縁をクリップ係止する該湾曲弧状位置決め片を設け、
上記受け止めフレームは、その両側をネジにより回動部材に固定され、該回動部材を介して下背面フレーム台に回動可能に連結されると共に、その両側中間部位でピボットを介して前サポート片上部両側の可動接続片を回動可能に連結して、該受け止めフレームをブラケットに対して回動して折り畳むと共にその開口に陥入した状態で上記ブラケットの湾折片のガード片によりブロックされるようにし、サポート片がその展開時に下端の２つの挿入片をブラケット開口下方の上記２つの位置決め孔に挿入固定されることを特徴とするノート型コンピュータの支持基台。
【請求項２】
前記ノート型コンピュータの支持基台は、さらに２個の側ブラケットを具え、
該２個の側ブラケットの上下には側方に向けてそれぞれ棒体を具えて、該各棒体は上記ブラケットの左右両側の側壁の穿孔に挿入され、さらに該上背面フレーム台と該下背面フレーム台の左右両側に挿入されて、該２個の側ブラケットは該棒体により該ブラケットの両側から外側に引き出して展開可能とされたことを特徴とする請求項１記載のノート型コンピュータの支持基台。
【請求項３】
前記２個の側ブラケットは、それぞれカバー蓋を具えてその上方と下方で上記棒体と連結固定すると共に該各棒体の外側端には環状溝を形成し、該上背面フレーム台の上方と該下背面フレーム台の下方には、それぞれ凹溝を備える定位ブロックを設置して、該各定位ブロックの凹溝に該側ブラケットの棒体を挿入して、該棒体を往復スライド移動が可能とし、さらに該２個の側ブラケットの各棒体の外側の環状溝にはガードブロックを連結して該棒体の離脱を防止するようにしたことを特徴とする請求項１記載のノート型コンピュータの支持基台。
【考案の詳細な説明】
【技術分野】
【０００１】
本考案はノート型コンピュータの支持基台に関する。特に折り畳みの利便性が高く、しかも折り畳み後の体積が小さいため包装、輸送、収納、携帯の便がよく、また、コンピュータの支持角度の調整が便利で、ノート型コンピュータの背面を支持するブラケットと２個の側ブラケットの間隔を調整して支持面の幅を変更可能であるため、様々なサイズ規格のノート型コンピュータに適用可能なノート型コンピュータの支持基台に係る。
【背景技術】
【０００２】
公告番号第590245号特許案などの公知の技術では、ノート型コンピュータを支持する支持基台を提供する。そのブラケットは角度調整機能を備えるが、体積が大きく、折り畳み、収納、携帯共に非常に場所をとり不便である。しかも、コンピュータの大きさに対応する支持機能の調整ができない、異なるサイズ規格のノート型コンピュータに適用することはできない。
【特許文献１】特開２００２−１０１９６７号公報
【考案の開示】
【考案が解決しようとする課題】
【０００３】
上記公知構造の欠点に鑑み、本考案は角度調整の便を前提とし、折り畳み操作の利便性とコンパクト性、包装と収納、或いは携帯の便を考慮して改良を行うべく、絶え間ない研究とテストを経て、ノート型コンピュータの支持基台の開発に成功した。
【課題を解決するための手段】
【０００４】
上記課題を解決するため、本考案は下記のノート型コンピュータの支持基台を提供する。
それは第一に、折り畳みに便利で、しかも折り畳み後の体積が小さく場所をとらず、そのため包装、収納或いは携帯に便利で、
それは第二に、コンピュータの背面を支持する両側の側ブラケットがブラケットとの相対位置を調整可能であるため、異なるサイズ規格のノート型コンピュータに適用可能で、適用範囲を拡大可能で、
それは第三に、コンピュータの背面を支持するブラケットを一定角度で支持するサポート片を、底フレームに対する固定位置を決める位置決め溝を複数として使用に適した位置の位置決め溝を選部ことにより、ブラケットの角度を調整する目的を達成することができ、
それは第四に、展開状態時にはサポート構造が安定しているという長所を備える。
【考案の効果】
【０００５】
上記のように、本考案は展開時には安定したサポート構造を備える。また、２個の側ブラケットは該ブラケットの両側に接して、該受け止めフレームは該ブラケットの開口へと折り畳まれ、サポート片はブラケットの背面へと折り畳まれ、さらに底フレームもブラケットの背面部へと折り畳まれるため、折り畳みの便が良く、体積が小さな折り畳み状態を達成することができ、体積が小さいため包装、収納、携帯の便が良い。また両側の側ブラケットはブラケットに対して間隔調整可能であるため、異なるサイズ規格のノート型コンピュータに適用することができ、その適用範囲を拡大することができる。さらにサポート片の挿入片を、底フレームの元々挿入されていた位置決め溝から離脱させ、他の位置の位置決め溝を選び再度挿入するだけで、ブラケットの角度を調整する目的を達成することができる。
【考案を実施するための最良の形態】
【０００６】
図１〜１２に示すように、本考案ノート型コンピュータの支持基台はブラケット１、上背面フレーム台２、底フレーム３、受け止めフレーム４、前サポート片５、下背面フレーム台６から構成する。
該ブラケット１のフレーム板１１の背面部には２個の側壁１２を備える。該２個の側壁１２の下方はそれぞれピボット１３により該底フレーム３の両側を回動可能に接続する。また、該フレーム板１１下方には開口１１１及び該開口１１１下方に位置する２個の位置決め孔１１２を設ける(図８参照)。該ブラケット１の背面部（図２参照）には上、下折壁１４、１５を備え、それぞれ該２個の側壁１２に対応し、該上背面フレーム台２と該下背面フレーム台６に嵌設する。
別に該ブラケット１の開口１１１上方には後方へと延伸する湾折片１１５を備え(図１２参照)、該湾折片１１５は比較的小さいガード片１１３をさらに湾折し延伸する。
【０００７】
該上背面フレーム台２は、両側壁２１の位置決め係合溝２１１（図４参照）にブラケット１の両側壁１２上方の内側に突出して設けられた定位係合突起１２２(図２参照)を嵌合し、或いは他の方式により位置決めして該ブラケット１の背面部上方に固定する。
該上背面フレーム台２の下方にサポート片７を回動可能に設置し、該サポート片７の下方に位置決め孔７１を設けて、該サポート片７の下端に設けた挿入片７２を、該底フレーム３設けた複数の位置決め溝３１２を選択して挿入・係合する。
該底フレーム３は、底板３１と該底板３１両側から折曲げて形成した側壁３２を備える。両側壁３２前側は該ブラケット１の両側壁１２の下方に回動可能に連結され、この構造により該底フレーム３は該ブラケット１に対して回動して折り畳むことができる。該底フレーム３の底板３１中間には適当な間隔で数個の位置決め溝３１２を設けて、該底フレーム３の後端側には湾曲弧状の位置決め片３３を折り曲げ形成する(図２参照)。該底フレーム３を該ブラケット１に向けて折り畳む時には、該湾曲弧状位置決め片３３により該ブラケット１の上端を弾性によりクリップ係合することができる(図１１参照)。
【０００８】
上記受け止めフレーム４の両側端は、ネジ固部品４１(図３参照)と回動部材８の片側８１の内ネジヤマによりそれぞれ回動可能に連結する。この構造により該受け止めフレーム４は下背面フレーム台６に回動可能に支持され、さらにその両側の中央に近い部位はピボット４２を介して該前サポート片５をその上方で回動可能に接続する。
該受け止めフレーム４が該ブラケット１に対して折り畳まれてその開口１１１内に嵌り込むと、該ブラケット１開口上縁後方に折曲げて形成された湾折片１１５端縁のガード片１１３に当接して支持される。
該前サポート片５は、両側に可動接続片５１を備え、上記したようにピボット４２を介して該受け止めフレーム４の両側に回動可能に接続される。その下端には２個の挿入片５３を備え、該ブラケット１の下方の２個の位置決め孔１１２に挿入して固定する(図８参照)。
上記下背面フレーム台６は、該ブラケット１の背面部下方に固設し、その両側壁の位置決め係合溝(図示なし)により、該ブラケット１の２個の側壁１２下方の定位係合突起１２３と係合固定し、或いは他の方式により連結固定する。
該下背面フレーム台６の上方両側には、可動接続ブロック６１を備え、該回動部材８の他の側８２を挿通し(図３参照)、さらにネジ固部品８３により連結される。該回動部材８の片側８１は可動接続ブロック６１から伸出し、該ネジ固部品４１により該受け止めフレーム４両側に固定連結される。
【０００９】
上記構成部品の構造により、該受け止めフレーム４は該前サポート片５により支持され、該ブラケット１は該サポート片７により支持される。使用する際は、該ブラケット１下端及び該底フレーム３の後端を机などの平面上に置いて、ノート型コンピュータ（図示なし）を該受け止めフレーム４上方に置き、該ブラケット１によりノート型コンピュータの背面部を支える。
また該ブラケット１の角度を調整しようとする時には、該サポート片７の挿入片７２を元々挿入されていた該底フレーム３の位置決め溝３１２から離脱させ、続いて他の位置の位置決め溝３１２を選び挿入するだけで、該ブラケット１の角度調整の目的を達成することができる。
【００１０】
さらに図５に示すように、上記ノート型コンピュータの支持基台はさらに２個の側ブラケット９を含む。該２個の側ブラケット９の上下にはそれぞれ棒体９１を備え、これらの該各棒体９１は該ブラケット１の左右及び上下両側の側壁１２の穿孔１２１に挿入され、側ブラケット９をブラケット１の左右両側に固定する。これにより該２個の側ブラケット９は、該棒体９１により該ブラケット１の両側に配置されて、或いは外側へと引き出されて展開される。該２個の側ブラケット９が外側へと引き出され展開され、或いは内側へと収束する移動調整により、異なるサイズ規格のノート型コンピュータを設置可能となる。
【００１１】
また図５に示すように、該２個の側ブラケット９は２個のカバー蓋９２、９３の上方と下方によりそれ該棒体９１の片側と連結固定する。該２個のカバー蓋９２、９３には係合ブロック９１２、９３１をそれぞれ設置し、該各棒体９１片側の係合溝９１１に係合する。さらに超音波接合或いはネジ螺合方式により連結固定して組立構造の安定性を向上する。
別に該各棒体９１の外側端には環状溝９１１１を形成し、該上背面フレーム台２の上方と該下背面フレーム台６の下方には、それぞれ凹溝２２１を備える定位ブロック２２(図４参照)(上、下平面フレーム台の定位ブロックの構造は同一であるため、本実施例では上背面フレーム台のみ掲載し説明する)を設置する。該各定位ブロック２２の凹溝２２１には該側ブラケット９に設置する棒体９１を挿入し、該棒体９１は往復スライド移動が可能となる。
組み立て作業時には、該側ブラケット９の棒体９１は先ず該ブラケット１の側壁１２の穿孔１２１に挿通し、次に該各棒体９１の環状溝９１１１にガードブロック９１２を嵌合する。こうして該側ブラケット９を外方へ移動する時、該ガードブロック９１２により該上、下背面フレーム台２、６の定位ブロック２２によりブロックされ、該側ブラケット９の離脱を防止することができる。
さらに該回動部材８の許容負荷は２kgである。
また該受け止めフレーム４の上端面４４は滑り止め材質で、さらに滑り止めライン４４１を設置する。
【００１２】
上記の構造により本考案は以下の長所を備える。
1.折り畳みの便が良い。すなわち、両側の側ブラケット９はブラケット１の両側に接  し (図７参照)、受け止めフレーム４はブラケット１の開口１１１へと折り畳まれ  、サポート片７はブラケット１の背面へと折り畳まれ、さらに底フレーム３もブラ  ケット１の背面部へと折り畳まれる(図１１参照)。こうして体積が小さな折り畳  み状態となり、体積が小さいため包装、収納、携帯の便が良い。
2.両側の側ブラケット９はブラケット１との相対位置を調整可能であるため、異なる  サイズ規格のノート型コンピュータに適用することができ、その適用範囲を拡大す  ることができる。
3.角度調整が容易。すなわち、サポート片７の挿入片７２を、底フレーム３の元々挿  入されていた位置決め溝３１２から離脱させ、他の位置の位置決め溝３１２を選び  再度挿入するだけで、ブラケット１の角度を調整する目的を達成することができる  。
4.ブラケット１はサポート片７により支えられ、サポート片７の下方はその挿入片７  ２により底フレーム３の位置決め溝３１２に挿入され、受け止めフレーム４は前サ  ポート片５により支えられ、しかも前サポート片５の下方はその挿入片５３により  ブラケット１の位置決め孔１１２に挿入され、受け止めフレーム４の片側は許容負  荷２kgの回動部材の片側８１とネジ固定する。こうして比較的大きな許容負荷を備  え、サポート構造を安定化する目的を達成する。
【図面の簡単な説明】
【００１３】
【図１】本考案実施例の展開状態立体図である。
【図２】本考案実施例の展開状態背面立体図である。
【図３】本考案実施例の部分組合せ断面拡大図である。
【図４】本考案実施例の上背面フレーム台と側ブラケットの棒体の部分立体分解拡大図である。
【図５】本考案実施例の側ブラケットの２個のカバー蓋が棒体と連結する前の立体拡大図である。
【図６】本考案実施例の一方の側ブラケットが外側へと引き出された展開状態の立体図である。
【図７】本考案実施例の両側の側ブラケットがブラケットに向って接近後の展開状態の立体図である。
【図８】本考案実施例の折り畳み動作の立体参考図である。
【図９】本考案実施例の別種の折り畳み動作の立体参考図である。
【図１０】本考案実施例の別種の折り畳み動作の立体参考図である。
【図１１】本考案実施例の折り畳み完成後の立体図である。
【図１２】本考案実施例の別の角度の部分立体拡大図である。
【符号の説明】
【００１４】
１  ブラケット
１１  フレーム板
１１１  開口
１１２  位置決め孔
１１３  ガード片
１１５  湾折片
１２  側壁
１２１  位置決め孔
１２２  定位係合突起
１２３  定位係合突起
１３  ピボット
１４  上折壁
１５  下折壁
２  上背面フレーム台
２１  側壁
２１１  位置決め係合溝
２２  定位ブロック
２２１  凹溝
３  底フレーム
３１  底板
３１２  位置決め溝
３２  側壁
３３  湾曲弧状位置決め片
４  受け止めフレーム
４１  螺固部品
４２  ピボット
４３  前側壁
４４  上端面
４４１  滑り止めライン
５  前サポート片
５１  可動接続片
５３  挿入片
６  下背面フレーム台
６１  可動接続ブロック
７  サポート片
７１  位置決め孔
７２  挿入片
８  回動部材
８１  片側
８２  両側
８３  螺固部品
９  側ブラケット
９１  棒体
９１１  係合溝
９１２  ガードブロック
９１１１  環状溝
９２  カバー蓋
９２１  係合ブロック
９３  カバー蓋
９３１  係合ブロック
【図１】
0003141153.tif 000003
【図２】
0003141153.tif 000004
【図３】
0003141153.tif 000005
【図４】
0003141153.tif 000006
【図５】
0003141153.tif 000007
【図６】
0003141153.tif 000008
【図７】
0003141153.tif 000009
【図８】
0003141153.tif 000010
【図９】
0003141153.tif 000011
【図１０】
0003141153.tif 000012
【図１１】
0003141153.tif 000013
【図１２】
0003141153.tif 000014